(57)【要約】【課題】紙の問題用紙に印刷された設問に対する解答を端末装置に入力する場合に、解答欄の間違いを防止する。【解決手段】テストシステムにおいて、問題用紙には、複数の設問について問題文が印刷されているとともに、各設問についての解答欄が問題文よりも薄く印刷されている。また、解答入力装置は、問題用紙と同一の問題文及び解答欄を含む解答フォームを表示し、いずれかの設問に対する入力を検出すると、当該設問の問題文及び解答欄を他の設問の問題文及び解答欄と異なる態様で強調表示する。【選択図】図２
2019078905.tif 000002
【特許請求の範囲】
【請求項１】
問題用紙及び解答入力装置を備えるテストシステムであって、
前記問題用紙には、複数の設問について問題文が印刷されているとともに、各設問についての解答欄が前記問題文よりも薄く印刷されており、
前記解答入力装置は、前記問題用紙と同一の問題文及び解答欄を含む解答フォームを表示し、いずれかの設問に対する入力を検出すると、当該設問の問題文及び／又は解答欄を他の設問の問題文及び／又は解答欄と異なる態様で強調表示することを特徴とするテストシステム。
【請求項２】
前記解答入力装置は、一の設問の問題文及び解答欄の強調表示中に、他の設問に対する入力を検出すると、前記一の設問の問題文及び解答欄の強調表示を終了し、前記他の設問の問題文及び解答欄を強調表示することを特徴とする請求項１に記載のテストシステム。
【請求項３】
前記解答入力装置は、各設問の問題文及び解答欄の表示範囲内に、強調表示の対象を他の設問へ変更することを指示する変更指示欄を表示し、一の設問の変更指示欄に対する入力を検出したときに、当該一の設問の問題文及び解答欄の強調表示を終了し、前記変更指示欄が示す他の設問の問題文及び解答欄を強調表示することを特徴とする請求項１に記載のテストシステム。
【請求項４】
前記解答記入装置は、１つの設問の問題文及び解答欄を含む表示範囲内における入力を、当該設問に対する入力として検出することを特徴とする請求項１乃至３のいずれか一項に記載のテストシステム。
【請求項５】
前記解答入力装置は、前記強調表示として、表示内容を、輝度、色、及び、形状の少なくとも一つが異なる態様で表示することを特徴とする請求項１乃至４のいずれか一項に記載のテストシステム。
【請求項６】
前記問題用紙には当該問題用紙の識別情報が印刷されており、
前記解答入力装置は、前記識別情報と解答フォームとを関連付けて記憶する記憶部を有し、
前記解答入力装置は、前記問題用紙から読み取られた識別情報に基づいて、当該問題用紙に対応する解答フォームを表示することを特徴とする請求項１乃至５のいずれか一項に記載のテストシステム。
【請求項７】
複数の設問についての問題文及び解答欄を含む解答フォームを表示し、いずれかの設問に対する入力を検出すると、当該設問の問題文及び解答欄を他の設問の問題文及び解答欄と異なる態様で強調表示することを特徴とする解答入力装置。
【請求項８】
コンピュータにより実行されるプログラムであって、
複数の設問についての問題文及び解答欄を含む解答フォームを表示し、いずれかの設問に対する入力を検出すると、当該設問の問題文及び解答欄を他の設問の問題文及び解答欄と異なる態様で強調表示する手段として前記コンピュータを機能させることを特徴とするプログラム。
【発明の詳細な説明】
【技術分野】
【０００１】
本発明は、問題用紙と端末装置を利用したテストシステムに関する。
【背景技術】
【０００２】
近年、教育現場におけるテストや演習においてタブレット端末を利用することが増えている。具体的には、紙の問題用紙に問題を印刷し、解答者は問題に対する解答をタブレット端末に入力する。特許文献１は、タブレットに答案用紙を重ねた状態で生徒などが解答を手書き入力し、手書き文字を電子データとして取得する手法を記載している。
【先行技術文献】
【特許文献】
【０００３】
【特許文献１】特開平１１−３１０４６号公報
【発明の概要】
【発明が解決しようとする課題】
【０００４】
しかし、答案用紙をタブレットに重ねた状態で解答を記入すると、記入中に答案用紙の位置ずれや、タブレットによる入力の検出エラーなどが生じうる。一方、問題用紙とタブレットを並べて解答する場合、解答者は問題用紙からタブレット端末へ目を移してタブレット端末上の解答欄に解答を入力するため、誤って別の問題の解答欄に解答を記入してしまう恐れがある。
【０００５】
本発明は、紙の問題用紙に印刷された設問に対する解答を端末装置に入力する場合に、解答欄の間違いを防止することが可能なテストシステムを提供することを主な目的とする。
【課題を解決するための手段】
【０００６】
本発明の１つの観点は、問題用紙及び解答入力装置を備えるテストシステムであって、前記問題用紙には、複数の設問について問題文が印刷されているとともに、各設問についての解答欄が前記問題文よりも薄く印刷されており、前記解答入力装置は、前記問題用紙と同一の問題文及び解答欄を含む解答フォームを表示し、いずれかの設問に対する入力を検出すると、当該設問の問題文及び／又は解答欄を他の設問の問題文及び／又は解答欄と異なる態様で強調表示する。
【０００７】
上記のテストシステムにおいて、問題用紙には、複数の設問について問題文が印刷されているとともに、各設問についての解答欄が問題文よりも薄く印刷されている。これにより、解答者は、解答の記入先が問題用紙ではなく、解答入力装置であることを認識できる。また、解答入力装置は、問題用紙と同一の問題文及び解答欄を含む解答フォームを表示し、いずれかの設問に対する入力を検出すると、当該設問の問題文及び／又は解答欄を他の設問の問題文及び／又は解答欄と異なる態様で強調表示する。これにより、解答者は自分が解答を記入している設問がどの設問であるかを明確に認識することができ、誤って別の設問の解答欄に解答を入力してしまうミスを防止することができる。
【０００８】
上記のテストシステムの一態様では、前記解答入力装置は、一の設問の問題文及び解答欄の強調表示中に、他の設問に対する入力を検出すると、前記一の設問の問題文及び解答欄の強調表示を終了し、前記他の設問の問題文及び解答欄を強調表示する。この態様では、解答者が他の設問に対する入力を開始すれば、強調表示される設問が自動的に変更される。
【０００９】
上記のテストシステムの他の一態様では、前記解答入力装置は、各設問の問題文及び解答欄の表示範囲内に、強調表示の対象を他の設問へ変更することを指示する変更指示欄を表示し、一の設問の変更指示欄に対する入力を検出したときに、当該一の設問の問題文及び解答欄の強調表示を終了し、前記変更指示欄が示す他の設問の問題文及び解答欄を強調表示する。この態様では、変更指示欄に対して入力を行うことにより、強調表示される設問を変更することができる。
【００１０】
上記のテストシステムの他の一態様では、前記解答記入装置は、１つの設問の問題文及び解答欄を含む表示範囲内における入力を、当該設問に対する入力として検出する。この態様では、解答フォーム上である設問の問題文及び解答欄の付近にタッチや入力を行えば、その設問の問題文及び解答欄を強調表示させることができる。
【００１１】
好適な例では、前記解答入力装置は、前記強調表示として、表示内容を、輝度、色、及び、形状の少なくとも一つが異なる態様で表示する。
【００１２】
上記のテストシステムの他の一態様では、前記問題用紙には当該問題用紙の識別情報が印刷されており、前記解答入力装置は、前記識別情報と解答フォームとを関連付けて記憶する記憶部を有し、前記解答入力装置は、前記問題用紙から読み取られた識別情報に基づいて、当該問題用紙に対応する解答フォームを表示する。この態様では、問題用紙に印刷された識別情報に基づいて、その問題用紙に正しく対応する解答フォームを解答入力装置に表示させることができる。
【００１３】
本発明の他の観点では、解答入力装置は、複数の設問についての問題文及び解答欄を含む解答フォームを表示し、いずれかの設問に対する入力を検出すると、当該設問の問題文及び解答欄を他の設問の問題文及び解答欄と異なる態様で強調表示する。これにより、解答者は自分が解答を記入している設問がどの設問であるかを明確に認識することができ、誤って別の設問の解答欄に解答を入力してしまうミスを防止することができる。
【００１４】
本発明の他の観点では、コンピュータにより実行されるプログラムは、複数の設問についての問題文及び解答欄を含む解答フォームを表示し、いずれかの設問に対する入力を検出すると、当該設問の問題文及び解答欄を他の設問の問題文及び解答欄と異なる態様で強調表示する手段として前記コンピュータを機能させる。このプログラムをコンピュータで実行することにより、上記の解答入力装置を実現することができる。
【図面の簡単な説明】
【００１５】
【図１】実施形態に係るテストシステムの問題用紙とタブレットＰＣを示す。
【図２】解答入力中のタブレットＰＣの表示例を示す。
【図３】タブレットＰＣの構成を示すブロック図である。
【図４】解答入力処理のフローチャートである。
【図５】問題用紙に対応する解答フォームを表示する例を示す。
【図６】解答フォーム表示処理のフローチャートである。
【図７】変形例に係る解答フォームの例を示す。
【発明を実施するための形態】
【００１６】
以下、図面を参照しながら、本発明の実施の形態について説明する。
［テストシステム］
図１は、実施形態に係るテストシステムの概略構成を示す。テストシステムは、学校その他の教育現場におけるテストや演習などに利用され、主として図１（Ａ）に示す問題用紙１０と、図１（Ｂ）に示すタブレットＰＣ３０とを備える。
【００１７】
問題用紙１０は紙の用紙であり、複数の設問が印刷されている。図１（Ａ）の例では、設問１〜３の３つの設問が印刷されている。各設問は、問題文１１と、解答欄１２とを含む。本実施形態では、生徒などの解答者は、基本的に解答をタブレットＰＣ３０に入力する。よって、解答の入力場所がタブレットＰＣであることを示す意味で、問題用紙１０の各解答欄１２は問題文１１よりも薄く印刷されている。図１（Ａ）の例では、問題部１１は通常の濃さの黒色で印刷されているのに対し、解答欄１２は薄いグレーで印刷されている。なお、解答者は問題用紙１０に印刷されている解答欄１２にメモなどの用途で解答を記入することはもちろん可能である。また、例えばタブレットＰＣ３０に何らかの不具合が発生したような場合は、解答を問題用紙の解答欄１２に記入し、バックアップとして利用することもできる。
【００１８】
タブレットＰＣ３０は、タブレットタイプのコンピュータ装置であり、タッチパネル式の表示部を備える。タブレットＰＣ３０には、問題用紙と同一の内容が解答フォームとして表示される。具体的には、図１（Ｂ）に示すように、問題用紙と同じ複数の設問について、問題文１１と解答欄１２とが表示される。解答者は、タッチペン５を用いて各設問の解答欄１２に解答を入力する。ここで、初期状態では、図１（Ｂ）に示すようにタブレットＰＣ３０に表示された解答フォームの問題文１１をグレーアウト表示とし、解答欄１２は通常の黒色（以下、「標準色」と呼ぶ。）の表示としておく（以下、この表示を「通常表示」と呼ぶ。）。これにより、解答を記入する先は問題用紙１０ではなく、タブレットＰＣ３０であることを解答者に伝えることができる。なお、タブレットＰＣは本発明の解答入力装置の一例である。
【００１９】
さて、本実施形態のテストシステムでは、解答者は、問題用紙１０に印刷されている問題文を読んで問題を解き、解答をタブレットＰＣ３０の対応する解答欄１２に入力する。この場合、解答を入力する際、解答者はいったん問題用紙１０から目を離し、タブレットＰＣ３０に目を移して解答欄１２に解答を入力することになるため、解答者は解答を記入する場所を間違えることがある。例えば、問題用紙を見ながら設問１を解き、その解答をタブレットＰＣ３０に入力する際に誤って設問２や設問３の解答欄１２に入力してしまうことがある。そこで、初期状態においてはタブレットＰＣ３０に表示した解答フォームの問題文１１をグレーアウト表示としておき、解答者がタブレットＰＣ３０に解答の入力を開始したら、解答の入力の対象となっている設問の問題文１１及び解答欄１２を、他の設問の問題文１１及び解答欄１２と異なる態様で強調表示する。これにより、解答者は自分が解答を記入している設問がどの設問であるかを明確に意識することができ、別の設問の解答欄１２に誤って解答を入力してしまうことを防止することができる。
【００２０】
図２は、解答入力中のタブレットＰＣの表示例を示す。図２（Ａ）は、解答者が設問１に解答を入力しているときのタブレットＰＣ３０の表示例を示す。解答者がタッチペン５を用いて設問１の解答欄１２に解答を入力し始めると、タブレットＰＣ３０はこれを検出し、設問１の問題文１１及び解答欄１２を強調表示する。具体的には、初期状態ではグレーアウト表示であった問題文１１を通常の黒色の表示（以下、「黒表示」とも呼ぶ。）とし、解答欄１２の色を解答中であることを示す所定の色（以下、「強調色」とも呼ぶ。）に変更する。このとき、設問２、３については、問題文１１は依然としてグレーアウト表示になっており、解答欄１２も初期状態の標準色のままになっているので、タブレットＰＣ３０の表示上、解答者が解答を入力している設問１は他の設問２、３と明確に区別される。これにより、解答者は自分が解答を入力している設問が正しいかどうかを確認することができる。
【００２１】
なお、上記の例では、解答欄１２に入力が開始された場合に、その設問の問題文１１及び解答欄１２を強調表示している。しかし、解答欄１２内に入力が開始された場合に限らず、ある設問の問題文１１及び解答欄１２を含む表示範囲のどこかに対してタッチペン５による入力又はタッチが行われた場合に、その設問の問題文１１及び解答欄１２を強調表示することとしてもよい。例えば、図２（Ａ）に示すように、設問１について問題文１１と解答欄１２を含む破線の領域（以下、「設問領域」とも呼ぶ。）１８を規定する。他の設問についても同様に設問ごとに設問領域１８を規定する（図示を省略）。そして、ある設問の設問領域１８内にタッチペン５による入力又はタッチが行われたときに、その設問の問題文１１及び解答欄１２を強調表示することとしてもよい。この場合には、タブレットＰＣ３０の表示部上で、設問番号や問題文１１の部分をタッチしたりなぞったりすることにより、その設問の問題文１１及び解答欄１２を強調表示させることができる。
【００２２】
タブレットＰＣ３０は、上記のように解答欄１２又は設問領域１８内へのタッチを検出してその設問の問題文１１及び解答欄１２を強調表示にした後は、解答欄１２に対する入力を検出し、その設問に対する解答者の解答を電子データとして取得する。なお、ある設問の問題文１１及び解答欄１２を強調表示にした後、解答欄１２への入力が所定時間以上行われない場合には、自動的にその設問の問題文１１及び解答欄１２の強調表示を解除することとしてもよい。
【００２３】
図２（Ｂ）は、解答者が設問１への解答を終了し、次に設問２への解答を開始したときの表示例を示す。解答者が設問１への解答の入力を終了し、設問２の解答欄１２又は設問領域１８に入力又はタッチを行うと、まず設問１は通常表示に戻る。即ち、設問１の問題文１１は元のグレーアウト表示に戻り、解答欄１２も元の標準色に戻る。なお、設問１の解答欄１２に入力された解答は解答欄１２内に表示された状態となる。これに加えて、設問２が強調表示となる。即ち、設問２の問題文１１はグレーアウト表示から黒表示に変更され、設問２の解答欄１２は解答中であることを示す強調色に変更される。これにより、解答者は自分が設問２に解答していることを意識することができる。なお、解答者が設問３について解答の入力を開始した場合には、同様に設問１、２が通常表示となり、設問３が強調表示となる。
【００２４】
なお、上記の例では、問題文１１の表示について、通常表示では問題文１１をグレーアウト表示とし、強調表示では問題文１１を黒表示としているが、これ以外の方法で問題文１１の強調表示を行っても構わない。例えば、通常表示では全ての設問の問題文１１を黒表示とし、強調表示では問題文１１の文字を太字にしたり、下線を付したり、問題文１１を囲む線を表示したりしてしてもよい。また、解答欄１２の強調表示についても、解答欄１２の色を変更する代わりに、解答欄１２の枠を太くする、解答欄１２のサイズを大きくするなど、解答欄１２の形状を変更して強調表示を行ってもよい。
【００２５】
［タブレットＰＣ］
次に、タブレットＰＣ３０について説明する。図３はタブレットＰＣ３０の構成を示すブロック図である。図示のように、タブレットＰＣ３０は、タッチセンサ３１、制御部３２、記憶部３３、テスト情報データベース（以下、「データベース」を「ＤＢ」と略す。）３４、表示部３６、通信部３７、カメラ３８を備える。これらの構成要素は、バス３９により相互に接続されている。
【００２６】
タッチセンサ３１は、表示部３６上に設けられており、解答者のタッチペン５による入力やタッチを検出する。タッチセンサ３１が解答欄１２内への入力を検出することにより、解答者が入力した解答が電子データとして取得される。
【００２７】
制御部３２は、ＣＰＵなどのコンピュータにより構成され、タブレットＰＣ３０の各構成要素を制御する。記憶部３３は、ＲＡＭ、ＲＯＭなどのメモリにより構成される。記憶部３３には、制御部３２により実行される様々な処理のプログラムが記憶される。制御部３２は、それらのプログラムを実行することにより、タブレットＰＣ３０全体を制御する。また、記憶部３３は、制御部３２が様々な処理を実行する際の作業メモリとして機能する。例えば、タッチセンサ３１が取得した解答の電子データは、一時的に記憶部３３に保存される。
【００２８】
テスト情報ＤＢ３４は、図１、図２などに示すように、タブレットＰＣ３０に表示される解答フォームを記憶している。具体的に、複数の問題用紙にはそれぞれ識別情報が割り当てられており、その識別情報に対応付けて解答フォームが記憶されている。また、テスト情報ＤＢ３４には、各設問についての正答を記憶しておいてもよい。この場合、解答欄１２に入力された解答の電子データから文字認識などにより解答の内容を抽出し、テスト情報ＤＢ３４に記憶されている正答と比較することにより、自動採点などが可能となる。また、テスト情報ＤＢ３４には、過去のテストにおいて解答者が入力した解答や過去のテスト結果などを記憶することもできる。
【００２９】
表示部３６は、タブレットＰＣ３０の前面に設けられる液晶パネルなどであり、図１、図２などに示すように、各テストの解答フォームを表示する。通信部３７は、外部のサーバや端末装置と通信する。例えば、クラスの各生徒がタブレットＰＣ３０を利用してテストや演習を行う場合に、通信部３７を利用して各生徒の解答データをタブレットＰＣ３０からサーバへ送信し、サーバで採点したり集計したりすることができる。カメラ３８は、必要に応じて問題用紙などを撮影するために使用され、本実施形態では特に後述するＱＲコード（登録商標）の読み取りに使用される。
【００３０】
［解答入力処理］
次に、解答入力処理について説明する。解答入力処理は、解答者がタブレットＰＣ３０に解答を入力する際にタブレットＰＣ３０により実行される処理である。図４は解答入力処理のフローチャートである。この処理は、図３に示す制御部３２が予め用意されたプログラムを実行することにより行われる。なお、この処理の前提として、図１（Ｂ）に示すように、タブレットＰＣ３０の表示部３６に解答フォームが表示されているものとする。
【００３１】
まず、制御部３２は、タッチセンサ３１の出力に基づいて、タッチペン５の入力位置を検出する（ステップＳ１０）。これにより、解答者がタッチペン５を利用して表示部３６にタッチした位置が検出される。次に、制御部３２は、タッチペン５の入力位置が、表示部３６に表示されている解答フォーム中のいずれかの設問の範囲内に属するか否かを検出する（ステップＳ１１）。具体的には、制御部３２は、タッチペン５の入力位置がいずれかの設問の解答欄１２の範囲内か否かを判定する。なお、前述のように問題文１１の範囲も含めて入力を検出する場合には、制御部３２は、タッチペン５の入力位置がいずれかの設問の設問領域１８の範囲内か否かを判定する。
【００３２】
タッチペン５の入力位置がいずれかの設問の範囲内である場合（ステップＳ１１：Ｙｅｓ）、制御部３２はその設問について強調表示を行う（ステップＳ１２）。即ち、制御部３２は、その設問について、それまでグレーアウト表示であった問題文１１を黒表示に変更し、解答欄１２の色を解答中であることを示す強調色に変更する。
【００３３】
次に、制御部３２は、タッチペン５の入力位置が別の設問の範囲内に移動したか否かを判定する（ステップＳ１３）。タッチペン５の入力位置が別の設問の範囲内に移動していない場合（ステップＳ１３：Ｎｏ）、ステップＳ１２による表示が継続される。一方、タッチペン５の入力位置が別の設問の範囲内に移動した場合（ステップＳ１３：Ｙｅｓ）、制御部３２は、前の設問、即ち、それまで強調表示されていた設問を通常表示に戻し、ステップＳ１３で新たにタッチペン５による入力が検出された設問を強調表示する（ステップＳ１４）。これにより、強調表示される設問が変更される。
【００３４】
次に、制御部３２は、テストが終了したか否かを判定する（ステップＳ１５）。例えば、制御部３２は、テストの開始から所定のテスト時間が経過した場合や、タブレットＰＣ３０に対して解答者がテスト終了の指示を入力した場合などに、テストが終了したと判定する。テストが終了していない場合（ステップＳ１５：Ｎｏ）、処理はステップＳ１３へ戻る。一方、テストが終了した場合（ステップＳ１５：Ｙｅｓ）、処理は終了する。
【００３５】
［解答フォームの表示処理］
次に、タブレットＰＣ３０に解答フォームを表示する処理について説明する。本実施形態では、テストや演習を行う際、問題用紙に対応する解答フォームをタブレットＰＣ３０に表示する必要がある。即ち、制御部３２は、問題用紙を特定し、それに対応する解答フォームをテスト情報ＤＢ３４から読み出して表示部３６に表示する必要がある。
【００３６】
図５は、正しい解答フォームを表示するためにＱＲコードを利用する例を示す。図５（Ａ）に示すように、問題用紙１０にはその問題用紙の識別情報を示すＱＲコード１３が印刷される。また、タブレットＰＣ３０のテスト情報ＤＢ３４には、問題用紙の識別情報に対応付けて、その問題用紙に対する解答フォームが記憶される。タブレットＰＣ３０は、問題用紙１０に印刷されたＱＲコードを利用して、正しいフォームを取得し、表示部３６に表示する。
【００３７】
図６は、解答フォーム表示処理のフローチャートである。この処理は、タブレットＰＣ３０の制御部３２が、予め用意されたプログラムを実行することにより実現される。まず、解答者はタブレットＰＣ３０を操作し、テストを行うためのソフトウェアを起動する。制御部３２は、テストを行うためのソフトウェアが起動されたか否かを判定する（ステップＳ２０）。ソフトウェアが起動されると、制御部３２は、タブレットＰＣ３０の表示部３６に、図５（Ｂ）に例示する初期画面１４を表示する（ステップＳ２１）。図示のように、初期画面１４には、ＱＲコード読み取りボタン１５が表示される。
【００３８】
解答者がＱＲコード読み取りボタン１５にタッチすると、タブレットＰＣ３０のカメラ３８が起動され、解答者はカメラ３８を利用して問題用紙１０のＱＲコード１３を読み取る。ＱＲコード１３が読み取られると（ステップＳ２２：Ｙｅｓ）、制御部３２は、読み取ったＱＲコード１３の画像データから問題用紙の識別情報を抽出し、テスト情報ＤＢ３４からその識別情報に対応する解答フォームを取得し（ステップＳ２３）、その解答フォームを表示部３６に表示する（ステップＳ２４）。こうして、図１に示すように、問題用紙に対応する解答フォームがタブレットＰＣ３０に表示される。
【００３９】
上記の例では、ＱＲコードを用いて問題用紙の識別情報と解答フォームとを対応付けしているが、ＱＲコード以外のバーコードを利用してもよい。また、バーコードを利用する代わりに、問題用紙１０に問題用紙の識別番号などを印刷し、解答者がその識別番号をタブレットＰＣに入力することにより、対応する解答フォームを表示させるようにしてもよい。
【００４０】
［変形例］
（変形例１）
上記の実施形態では、タッチペン５の入力位置が、ある設問の領域から他の設問の領域に移動した場合に、強調表示する設問を変更している。その代わりに、強調表示する設問を変更するための変更指示欄をタブレットＰＣ３０に表示することとしてもよい。
【００４１】
図７（Ａ）は、変更指示欄を表示する例を示す。この例では、各設問の領域に「次へ」と表示された変更指示欄１６を設ける。解答者が変更指示欄１６にタッチすると、元の設問は通常表示に戻り、次の設問が強調表示される。図７（Ａ）の例では、解答者が設問１に対する解答を終えて変更指示欄１６にタッチすると、設問１が通常表示に戻り、設問２が強調表示される。
【００４２】
図７（Ｂ）は、変更指示欄を表示する他の例を示す。この例では、各設問の領域に、他の設問を示す変更指示欄１７を設ける。具体的に、設問１の領域には、それ以外の設問である設問２及び設問３を示す変更指示欄１７が表示される。また、設問２の領域には、設問１と設問３を示す変更指示欄１７が表示され、設問３の領域には設問１と設問２を示す変更表示欄１７が表示される。
【００４３】
解答者が変更指示欄１７にタッチすると、元の設問は通常表示に戻り、タッチされた変更指示欄１７が示す設問が強調表示される。図７（Ｂ）の例では、解答者が設問１に対する解答を終えて「設問２」と表示された変更指示欄１７にタッチすると、設問１が通常表示に戻り、設問２が強調表示される。また、解答者が設問１に対する解答を終えて「設問３」と表示された変更指示欄１７にタッチすると、設問１が通常表示に戻り、設問３が強調表示される。
【００４４】
（変形例２）
上記の実施形態では、解答欄１２がグレーアウト印刷された問題用紙を用いているが、その代わりに、解答欄１２が通常の印刷となっている問題用紙を用いても構わない。
【符号の説明】
【００４５】
１０  問題用紙
１１  問題文
１２  解答欄
３０  タブレットＰＣ
３１  タッチセンサ
３２  制御部
３４  テスト情報ＤＢ
３６  表示部
３８  カメラ
【図１】
2019078905.tif 000003
【図２】
2019078905.tif 000004
【図３】
2019078905.tif 000005
【図４】
2019078905.tif 000006
【図５】
2019078905.tif 000007
【図６】
2019078905.tif 000008
【図７】
2019078905.tif 000009